(57)【要約】【課題】所定の紙面からの文字の読み取りが正しく行われない場合であっても、手間をかけずに正確な文字を補完できる文字読取装置、ＩＤカード作成装置及びＩＤカード作成方法を提供する。【解決手段】申請書の紙面上に印字されたＩＤ番号を構成する各文字を認識して認識ＩＤ番号を生成する認識プログラム１４４１を実行したＣＰＵ１４１と、当該生成された認識ＩＤ番号を液晶表示部１２１に表示させる表示制御プログラム１４４３を実行したＣＰＵ１４１と、液晶表示部１２１に表示された認識ＩＤ番号に対して、認識プログラム１４４１を実行したＣＰＵ１４１により認識できなかった文字及び／又は誤認識された文字の文字情報を入力するためのタッチパネル１２２と、当該生成された認識ＩＤ番号を当該入力された文字情報で補完した補完後ＩＤ番号を生成する生成プログラム１４４４を実行したＣＰＵ１４１と、を備えるよう構成した。【選択図】図１
2007305045.tif 000002
【特許請求の範囲】
【請求項１】
所定の紙面上に印字された各文字を認識して認識文字情報を生成する認識手段と、
前記認識手段により生成された認識文字情報を、表示手段に表示させる表示制御手段と、
前記表示制御手段により前記表示手段に表示された認識文字情報に対して、前記認識手段により認識できなかった文字及び／又は前記認識手段により誤認識された文字の文字情報を入力するための入力手段と、
前記認識手段により生成された認識文字情報を前記入力手段により入力された文字情報で補完した補完後文字情報を生成する生成手段と、
を備えることを特徴とする文字読取装置。
【請求項２】
請求項１に記載の文字読取装置において、
前記表示制御手段は、所定の文字認識度が所定の閾値以上の文字と、当該所定の文字認識度が当該所定の閾値より小さい文字と、が識別可能となるように、前記認識手段により生成された認識文字情報を、前記表示手段に表示させることを特徴とする文字読取装置。
【請求項３】
請求項２に記載の文字読取装置において、
前記表示制御手段は、前記所定の文字認識度が前記所定の閾値以上の文字のうちの、当該所定の文字認識度が所定の第２閾値以上の文字と、当該所定の文字認識度が当該所定の第２閾値より小さい文字と、が識別可能となるように、前記認識手段により生成された認識文字情報を、前記表示手段に表示させることを特徴とする文字読取装置。
【請求項４】
請求項１〜３の何れか一項に記載の文字読取装置において、
前記所定の紙面から、当該所定の紙面全体のイメージを読み取る読取手段と、
前記表示制御手段は、前記読取手段により読み取られた所定の紙面全体のイメージを、前記認識手段により生成された認識文字情報とともに、前記表示手段に表示させることを特徴とする文字読取装置。
【請求項５】
請求項１〜３の何れか一項に記載の文字読取装置において、
前記所定の紙面から、当該所定の紙面全体のイメージを読み取る読取手段と、
前記表示制御手段は、前記読取手段により読み取られた所定の紙面全体のイメージに含まれる当該所定の紙面上に印字された文字部分の画像を、前記認識手段により生成された認識文字情報とともに、前記表示手段に表示させることを特徴とする文字読取装置。
【請求項６】
請求項４又は５に記載の文字読取装置において、
前記読取手段により読み取られた所定の紙面全体のイメージと、前記認識手段により生成された認識文字情報と、を対応付けて記憶する補完前文字情報記憶手段と、
前記読取手段により読み取られた所定の紙面全体のイメージと、前記生成手段により生成された補完後文字情報と、を対応付けて記憶する補完後文字情報記憶手段と、
前記生成手段により補完後文字情報が生成されると、前記補完前文字情報記憶手段に記憶されたイメージを消去する消去手段と、
を備えることを特徴とする文字読取装置。
【請求項７】
請求項４〜６の何れか一項に記載の文字読取装置を備え、申請者からのＩＤカードの発行申請に応じて、当該申請者が提出した申請書に貼付された証明写真がプリントされたＩＤカードを作成するＩＤカード作成装置において、
前記所定の紙面は、前記申請書の紙面であり、
前記読取手段は、前記申請書の紙面から、当該申請書の紙面上に印字された文字部分の画像と、当該申請書の紙面上に貼付された証明写真部分の画像と、を第１解像度で読み取るとともに、当該申請書の紙面上における当該文字部分及び当該証明写真部分以外の部分の画像を当該第１解像度よりも低い第２解像度で読み取ることによって、当該申請書の紙面全体のイメージを読み取り、
前記認識手段は、前記読取手段により第１解像度で読み取られた文字部分の画像から、前記申請書の紙面上に印字された各文字を認識して認識文字情報を生成し、
前記生成手段により生成された補完後文字情報と、前記読取手段により第１解像度で読み取られた証明写真部分の画像と、を含むＩＤカード情報が、表面にプリント出力されたＩＤカードを作成する作成手段を備えることを特徴とするＩＤカード作成装置。
【請求項８】
請求項６に記載の文字読取装置を備え、申請者からのＩＤカードの発行申請に応じて、当該申請者が提出した申請書に貼付された証明写真がプリントされたＩＤカードを作成するＩＤカード作成装置において、
前記所定の紙面は、前記申請書の紙面であり、
前記読取手段は、前記申請書の紙面から、当該申請書の紙面上に印字された文字部分と当該申請書の紙面上に貼付された証明写真部分とを含む領域の画像を第１解像度で読み取って、当該申請書の紙面全体のイメージを当該第１解像度よりも低い第２解像度で読み取り、
前記認識手段は、前記読取手段により第１解像度で読み取られた文字部分と証明写真部分とを含む領域の画像に含まれる文字部分の画像から、前記申請書の紙面上に印字された各文字を認識して認識文字情報を生成し、
前記補完前文字情報記憶手段は、前記読取手段により第２解像度で読み取られた申請書の紙面全体のイメージと、前記認識手段により生成された認識文字情報と、を対応付けて記憶し、
前記補完後文字情報記憶手段は、前記読取手段により第２解像度で読み取られた申請書の紙面全体のイメージと、前記生成手段により生成された補完後文字情報と、を対応付けて記憶し、
前記生成手段により生成された補完後文字情報と、前記読取手段により第１解像度で読み取られた文字部分と証明写真部分とを含む領域の画像に含まれる証明写真部分の画像と、を含むＩＤカード情報が、表面にプリント出力されたＩＤカードを作成する作成手段を備えることを特徴とするＩＤカード作成装置。
【請求項９】
請求項７に記載のＩＤカード作成装置を用いたＩＤカード作成方法において、
前記読取手段が、前記申請書の紙面から、当該申請書の紙面上に印字された文字部分の画像と、当該申請書の紙面上に貼付された証明写真部分の画像と、を第１解像度で読み取るとともに、当該申請書の紙面上における当該文字部分及び当該証明写真部分以外の部分の画像を当該第１解像度よりも低い第２解像度で読み取ることによって、当該申請書の紙面全体のイメージを読み取る読取ステップと、
次いで、前記認識手段が、前記読取ステップにて第１解像度で読み取られた文字部分の画像から、前記申請書の紙面上に印字された各文字を認識して認識文字情報を生成する認識ステップと、
次いで、前記表示制御手段が、前記認識ステップにて生成された認識文字情報を、前記表示手段に表示させる表示制御ステップと、
次いで、前記入力手段が、前記表示制御ステップにて前記表示手段に表示された認識文字情報に対して、前記認識手段により認識できなかった文字及び／又は前記認識手段により誤認識された文字の文字情報を入力するための入力ステップと、
次いで、前記生成手段が、前記認識ステップにて生成された認識文字情報を前記入力ステップにて入力された文字情報で補完した補完後文字情報を生成する生成ステップと、
次いで、前記作成手段が、前記生成ステップにて生成された補完後文字情報と、前記読取ステップにて第１解像度で読み取られた証明写真部分の画像と、を含むＩＤカード情報が、表面にプリント出力されたＩＤカードを作成する作成ステップと、
を備えることを特徴とするＩＤカード作成方法。
【請求項１０】
請求項８に記載のＩＤカード作成装置を用いたＩＤカード作成方法において、
前記読取手段が、前記申請書の紙面から、当該申請書の紙面上に印字された文字部分と当該申請書の紙面上に貼付された証明写真部分とを含む領域の画像を第１解像度で読み取って、当該申請書の紙面全体のイメージを当該第１解像度よりも低い第２解像度で読み取る読取ステップと、
次いで、前記認識手段が、前記読取ステップにて第１解像度で読み取られた文字部分と証明写真部分とを含む領域の画像に含まれる文字部分の画像から、前記申請書の紙面上に印字された各文字を認識して認識文字情報を生成する認識ステップと、
次いで、前記補完前文字情報記憶手段が、前記読取ステップにて第２解像度で読み取られた申請書の紙面全体のイメージと、前記認識ステップにて生成された認識文字情報と、を対応付けて記憶する補完前文字情報記憶ステップと、
次いで、前記表示制御手段が、前記認識ステップにて生成された認識文字情報を、前記表示手段に表示させる表示制御ステップと、
次いで、前記入力手段が、前記表示制御ステップにて前記表示手段に表示された認識文字情報に対して、前記認識手段により認識できなかった文字及び／又は前記認識手段により誤認識された文字の文字情報を入力するための入力ステップと、
次いで、前記生成手段が、前記認識ステップにて生成された認識文字情報を前記入力ステップにて入力された文字情報で補完した補完後文字情報を生成する生成ステップと、
次いで、前記補完後文字情報記憶手段が、前記読取ステップにて第２解像度で読み取られた申請書の紙面全体のイメージと、前記生成ステップにて生成された補完後文字情報と、を対応付けて記憶する補完後文字情報記憶ステップと、
次いで、前記消去手段が、前記補完前文字情報記憶ステップにて記憶されたイメージを消去する消去ステップと、
次いで、前記作成手段が、前記生成ステップにて生成された補完後文字情報と、前記読取ステップにて第１解像度で読み取られた文字部分と証明写真部分とを含む領域の画像に含まれる証明写真部分の画像と、を含むＩＤカード情報が、表面にプリント出力されたＩＤカードを作成する作成ステップと、
を備えることを特徴とするＩＤカード作成方法。
【発明の詳細な説明】
【技術分野】
【０００１】
本発明は、文字読取装置、ＩＤカード作成装置及びＩＤカード作成方法に関する。
【背景技術】
【０００２】
従来、申請者からのＩＤカードの発行申請に応じて、ＩＤカードを作成するＩＤカード作成装置が知られている。
当該ＩＤカード作成装置では、例えば、申請者を識別するためのＩＤ番号と、当該申請者が提出した申請書のイメージと、を対応付けて保存するようになっている（例えば、特許文献１参照）。
【０００３】
具体的には、ＩＤカード作成装置には、例えば、ＩＤ番号読取装置（ＯＣＲ装置等）や申請書イメージ読取装置（スキャナ等）が備えられており、例えば、ＩＤ番号読取装置によって申請書に印字されたＩＤ番号等を読み取るとともに、申請書イメージ読取装置によって申請書のイメージを読み取り、そして、当該読み取られたＩＤ番号等と、当該読み取られた申請書のイメージと、を対応付けて保存するようになっている。
さらに、当該読み取られたＩＤ番号等は、例えば、ＩＤカード作成装置により作成されるＩＤカードの表面にプリント出力されたり、ＩＤカードに組み込まれたＩＣチップ等に記憶されるようになっている。
したがって、ＩＤカード作成装置は、正確なＩＤ番号等に関する情報を取得する必要があり、そのためには、ＩＤ番号読取装置によって、申請書に印字されたＩＤ番号等を正しく認識して正しく読み取る必要がある。
【特許文献１】特開２００３−１９８３号公報
【発明の開示】
【発明が解決しようとする課題】
【０００４】
しかしながら、申請書にＩＤ番号等を印字する際の印字方法等の影響によって、ＩＤ番号読取装置がＩＤ番号等を正しく認識して正しく読み取ることができない場合がある。この場合、再び、ＩＤ番号読取装置に申請書に印字されたＩＤ番号を読み取らせなければならないが、これでは手間がかかる。
【０００５】
本発明の課題は、所定の紙面からの文字の読み取りが正しく行われない場合であっても、手間をかけずに正確な文字を補完できる文字読取装置、ＩＤカード作成装置及びＩＤカード作成方法を提供することにある。
【課題を解決するための手段】
【０００６】
上記課題を解決するために、請求項１に記載の発明は、
所定の紙面上に印字された各文字を認識して認識文字情報を生成する認識手段と、
前記認識手段により生成された認識文字情報を、表示手段に表示させる表示制御手段と、
前記表示制御手段により前記表示手段に表示された認識文字情報に対して、前記認識手段により認識できなかった文字及び／又は前記認識手段により誤認識された文字の文字情報を入力するための入力手段と、
前記認識手段により生成された認識文字情報を前記入力手段により入力された文字情報で補完した補完後文字情報を生成する生成手段と、
を備えることを特徴とする。
【０００７】
請求項２に記載の発明は、
請求項１に記載の文字読取装置において、
前記表示制御手段は、所定の文字認識度が所定の閾値以上の文字と、当該所定の文字認識度が当該所定の閾値より小さい文字と、が識別可能となるように、前記認識手段により生成された認識文字情報を、前記表示手段に表示させることを特徴とする。
【０００８】
請求項３に記載の発明は、
請求項２に記載の文字読取装置において、
前記表示制御手段は、前記所定の文字認識度が前記所定の閾値以上の文字のうちの、当該所定の文字認識度が所定の第２閾値以上の文字と、当該所定の文字認識度が当該所定の第２閾値より小さい文字と、が識別可能となるように、前記認識手段により生成された認識文字情報を、前記表示手段に表示させることを特徴とする。
【０００９】
請求項４に記載の発明は、
請求項１〜３の何れか一項に記載の文字読取装置において、
前記所定の紙面から、当該所定の紙面全体のイメージを読み取る読取手段と、
前記表示制御手段は、前記読取手段により読み取られた所定の紙面全体のイメージを、前記認識手段により生成された認識文字情報とともに、前記表示手段に表示させることを特徴とする。
【００１０】
請求項５に記載の発明は、
請求項１〜３の何れか一項に記載の文字読取装置において、
前記所定の紙面から、当該所定の紙面全体のイメージを読み取る読取手段と、
前記表示制御手段は、前記読取手段により読み取られた所定の紙面全体のイメージに含まれる当該所定の紙面上に印字された文字部分の画像を、前記認識手段により生成された認識文字情報とともに、前記表示手段に表示させることを特徴とする。
【００１１】
請求項６に記載の発明は、
請求項４又は５に記載の文字読取装置において、
前記読取手段により読み取られた所定の紙面全体のイメージと、前記認識手段により生成された認識文字情報と、を対応付けて記憶する補完前文字情報記憶手段と、
前記読取手段により読み取られた所定の紙面全体のイメージと、前記生成手段により生成された補完後文字情報と、を対応付けて記憶する補完後文字情報記憶手段と、
前記生成手段により補完後文字情報が生成されると、前記補完前文字情報記憶手段に記憶されたイメージを消去する消去手段と、
を備えることを特徴とする。
【００１２】
請求項７に記載の発明は、
請求項４〜６の何れか一項に記載の文字読取装置を備え、申請者からのＩＤカードの発行申請に応じて、当該申請者が提出した申請書に貼付された証明写真がプリントされたＩＤカードを作成するＩＤカード作成装置において、
前記所定の紙面は、前記申請書の紙面であり、
前記読取手段は、前記申請書の紙面から、当該申請書の紙面上に印字された文字部分の画像と、当該申請書の紙面上に貼付された証明写真部分の画像と、を第１解像度で読み取るとともに、当該申請書の紙面上における当該文字部分及び当該証明写真部分以外の部分の画像を当該第１解像度よりも低い第２解像度で読み取ることによって、当該申請書の紙面全体のイメージを読み取り、
前記認識手段は、前記読取手段により第１解像度で読み取られた文字部分の画像から、前記申請書の紙面上に印字された各文字を認識して認識文字情報を生成し、
前記生成手段により生成された補完後文字情報と、前記読取手段により第１解像度で読み取られた証明写真部分の画像と、を含むＩＤカード情報が、表面にプリント出力されたＩＤカードを作成する作成手段を備えることを特徴とする。
【００１３】
請求項８に記載の発明は、
請求項６に記載の文字読取装置を備え、申請者からのＩＤカードの発行申請に応じて、当該申請者が提出した申請書に貼付された証明写真がプリントされたＩＤカードを作成するＩＤカード作成装置において、
前記所定の紙面は、前記申請書の紙面であり、
前記読取手段は、前記申請書の紙面から、当該申請書の紙面上に印字された文字部分と当該申請書の紙面上に貼付された証明写真部分とを含む領域の画像を第１解像度で読み取って、当該申請書の紙面全体のイメージを当該第１解像度よりも低い第２解像度で読み取り、
前記認識手段は、前記読取手段により第１解像度で読み取られた文字部分と証明写真部分とを含む領域の画像に含まれる文字部分の画像から、前記申請書の紙面上に印字された各文字を認識して認識文字情報を生成し、
前記補完前文字情報記憶手段は、前記読取手段により第２解像度で読み取られた申請書の紙面全体のイメージと、前記認識手段により生成された認識文字情報と、を対応付けて記憶し、
前記補完後文字情報記憶手段は、前記読取手段により第２解像度で読み取られた申請書の紙面全体のイメージと、前記生成手段により生成された補完後文字情報と、を対応付けて記憶し、
前記生成手段により生成された補完後文字情報と、前記読取手段により第１解像度で読み取られた文字部分と証明写真部分とを含む領域の画像に含まれる証明写真部分の画像と、を含むＩＤカード情報が、表面にプリント出力されたＩＤカードを作成する作成手段を備えることを特徴とする。
【００１４】
請求項９に記載の発明は、
請求項７に記載のＩＤカード作成装置を用いたＩＤカード作成方法において、
前記読取手段が、前記申請書の紙面から、当該申請書の紙面上に印字された文字部分の画像と、当該申請書の紙面上に貼付された証明写真部分の画像と、を第１解像度で読み取るとともに、当該申請書の紙面上における当該文字部分及び当該証明写真部分以外の部分の画像を当該第１解像度よりも低い第２解像度で読み取ることによって、当該申請書の紙面全体のイメージを読み取る読取ステップと、
次いで、前記認識手段が、前記読取ステップにて第１解像度で読み取られた文字部分の画像から、前記申請書の紙面上に印字された各文字を認識して認識文字情報を生成する認識ステップと、
次いで、前記表示制御手段が、前記認識ステップにて生成された認識文字情報を、前記表示手段に表示させる表示制御ステップと、
次いで、前記入力手段が、前記表示制御ステップにて前記表示手段に表示された認識文字情報に対して、前記認識手段により認識できなかった文字及び／又は前記認識手段により誤認識された文字の文字情報を入力するための入力ステップと、
次いで、前記生成手段が、前記認識ステップにて生成された認識文字情報を前記入力ステップにて入力された文字情報で補完した補完後文字情報を生成する生成ステップと、
次いで、前記作成手段が、前記生成ステップにて生成された補完後文字情報と、前記読取ステップにて第１解像度で読み取られた証明写真部分の画像と、を含むＩＤカード情報が、表面にプリント出力されたＩＤカードを作成する作成ステップと、
を備えることを特徴とする。
【００１５】
請求項１０に記載の発明は、
請求項８に記載のＩＤカード作成装置を用いたＩＤカード作成方法において、
前記読取手段が、前記申請書の紙面から、当該申請書の紙面上に印字された文字部分と当該申請書の紙面上に貼付された証明写真部分とを含む領域の画像を第１解像度で読み取って、当該申請書の紙面全体のイメージを当該第１解像度よりも低い第２解像度で読み取る読取ステップと、
次いで、前記認識手段が、前記読取ステップにて第１解像度で読み取られた文字部分と証明写真部分とを含む領域の画像に含まれる文字部分の画像から、前記申請書の紙面上に印字された各文字を認識して認識文字情報を生成する認識ステップと、
次いで、前記補完前文字情報記憶手段が、前記読取ステップにて第２解像度で読み取られた申請書の紙面全体のイメージと、前記認識ステップにて生成された認識文字情報と、を対応付けて記憶する補完前文字情報記憶ステップと、
次いで、前記表示制御手段が、前記認識ステップにて生成された認識文字情報を、前記表示手段に表示させる表示制御ステップと、
次いで、前記入力手段が、前記表示制御ステップにて前記表示手段に表示された認識文字情報に対して、前記認識手段により認識できなかった文字及び／又は前記認識手段により誤認識された文字の文字情報を入力するための入力ステップと、
次いで、前記生成手段が、前記認識ステップにて生成された認識文字情報を前記入力ステップにて入力された文字情報で補完した補完後文字情報を生成する生成ステップと、
次いで、前記補完後文字情報記憶手段が、前記読取ステップにて第２解像度で読み取られた申請書の紙面全体のイメージと、前記生成ステップにて生成された補完後文字情報と、を対応付けて記憶する補完後文字情報記憶ステップと、
次いで、前記消去手段が、前記補完前文字情報記憶ステップにて記憶されたイメージを消去する消去ステップと、
次いで、前記作成手段が、前記生成ステップにて生成された補完後文字情報と、前記読取ステップにて第１解像度で読み取られた文字部分と証明写真部分とを含む領域の画像に含まれる証明写真部分の画像と、を含むＩＤカード情報が、表面にプリント出力されたＩＤカードを作成する作成ステップと、
を備えることを特徴とする。
【発明の効果】
【００１６】
請求項１に記載の発明によれば、オペレータは、認識手段により認識できなかった文字及び／又は認識手段により誤認識された文字の文字情報を入力することができ、文字読取装置は、認識手段により生成された認識文字情報を当該入力された文字情報で補完した補完後文字情報を生成することができる。
したがって、文字読取装置による所定の紙面からの文字の読み取りが正しく行われない場合であっても、オペレータは、再び、文字読取装置に所定の紙面上に印字された各文字を読み取らせることなく、手間をかけずに正確な文字を補完できる。
【００１７】
請求項２に記載の発明によれば、請求項１に記載の発明と同様の効果が得られることは無論のこと、所定の文字認識度が所定の閾値以上の文字と、当該所定の文字認識度が当該所定の閾値より小さい文字と、が識別可能となるように表示することができる。
ここで、識別可能となる表示とは、文字毎の文字認識度の違いを識別可能な識別表示することであり、例えば、所定の閾値より小さい文字（又は所定の閾値以上の文字）を、識別する表示マークを付与して表示する事等により識別できるようにすることである。
したがって、オペレータは、文字読取装置により読み取られた文字と読み取られなかった可能性が高い文字とを識別することができるため、文字情報の入力をスムーズに行うことができる。
【００１８】
請求項３に記載の発明によれば、請求項２に記載の発明と同様の効果が得られることは無論のこと、所定の文字認識度が所定の閾値以上の文字のうちの、当該所定の文字認識度が所定の第２閾値以上の文字と、当該所定の文字認識度が当該所定の第２閾値より小さい文字と、が識別可能となるよう表示することができる。
したがって、オペレータは、文字読取装置により読み取られた文字のうちの、正しく読み取られた確度が高い文字と確度が低い文字とを識別することができるため、文字情報の入力を確実に行うことができる。
【００１９】
請求項４に記載の発明によれば、請求項１〜３の何れか一項に記載の発明と同様の効果が得られることは無論のこと、読取手段により読み取られた所定の紙面全体のイメージを、認識手段により生成された認識文字情報とともに、表示手段に表示させることができる。
したがって、オペレータは、認識文字情報とともに、所定の紙面全体のイメージも確認できるため、使い勝手がよい。
【００２０】
請求項５に記載の発明によれば、請求項１〜３の何れか一項に記載の発明と同様の効果が得られることは無論のこと、読取手段により読み取られた所定の紙面全体のイメージに含まれる当該所定の紙面上に印字された文字部分の画像を、認識手段により生成された認識文字情報とともに、表示手段に表示させることができる。
したがって、オペレータは、文字部分の画像を参照しながら、文字情報を入力できるため、使い勝手がよい。
【００２１】
請求項６に記載の発明によれば、請求項４又は５に記載の発明と同様の効果が得られることは無論のこと、生成手段により補完後文字情報が生成されると、補完前文字情報記憶手段に記憶されたイメージを消去することができる。
したがって、必要な情報は残して、不必要な情報は消去することができるため、情報を管理するためのコストを抑えることができる。
【００２２】
請求項７又は９に記載の発明によれば、請求項４〜６の何れか一項に記載の発明と同様の効果が得られることは無論のこと、読取手段は、申請書の紙面から、当該申請書の紙面上に印字された文字部分の画像と、当該申請書の紙面上に貼付された証明写真部分の画像と、を第１解像度で読み取るとともに、当該申請書の紙面上における当該文字部分及び当該証明写真部分以外の部分の画像を当該第１解像度よりも低い第２解像度で読み取ることによって、当該申請書の紙面全体のイメージを読み取ることができる。
したがって、従来は、例えば、ＩＤカードの作成に必要な文字部分や証明写真部分の画像を高解像度で読み取る手段と申請書の紙面全体のイメージを低解像度で読み取る手段の２つの手段が必要であったが、本発明では、１つの手段（読取手段）でＩＤカードの作成に必要な部分の画像を高解像度で読み取りつつ申請書の紙面全体のイメージを読み取ることができるため、ＩＤカード作成装置の製造コスト等を抑えることができる。
また、１回のスキャンで、ＩＤカードの作成に必要な部分の画像を高解像度で読み取るとともにＩＤカードの作成に不必要な部分の画像を低解像度で読み取るため、読取時間が短縮できる。
【００２３】
請求項８又は１０に記載の発明によれば、請求項６に記載の発明と同様の効果が得られることは無論のこと、読取手段は、申請書の紙面から、当該申請書の紙面上に印字された文字部分と当該申請書の紙面上に貼付された証明写真部分とを含む領域の画像を第１解像度で読み取って、当該申請書の紙面全体のイメージを当該第１解像度よりも低い第２解像度で読み取ることができる。
したがって、従来は、例えば、ＩＤカードの作成に必要な文字部分や証明写真部分の画像を高解像度で読み取る手段と申請書の紙面全体のイメージを低解像度で読み取る手段の２つの手段が必要であったが、本発明では、１つの手段（読取手段）でＩＤカードの作成に必要な部分の画像を高解像度で読み取り、その後、申請書の紙面全体のイメージを低解像度で読み取ることができるため、ＩＤカード作成装置の製造コスト等を抑えることができる。
また、高解像度で読み取る部分が、文字部分と証明写真部分とを含む領域だけなので、申請書の紙面全体を高解像度で読み取る場合よりも読取時間を短縮できる。
【発明を実施するための最良の形態】
【００２４】
以下、図を参照して、本発明を実施するための最良の形態を詳細に説明する。なお、発明の範囲は、図示例に限定されない。
【００２５】
[第１の実施の形態]
まず、第１の実施の形態におけるＩＤカード作成装置１及びＩＤカード作成装置１を用いたＩＤカード作成方法について説明する。
【００２６】
＜ＩＤカード作成装置＞
まず、ＩＤカード作成装置１の構成について、図１を参照して説明する。
ＩＤカード作成装置１は、例えば、申請者からのＩＤカードの発行申請に応じて、当該申請者が提出した申請書Ｑに貼付された証明写真ＰがプリントされたＩＤカードを作成するための装置である。
具体的には、ＩＤカード作成装置１は、例えば、読取部１１と、操作部１２と、作成部１３と、制御部１４と、などを備えて構成される。
また、ＩＤカード作成装置１は、例えば、サーバ装置２と接続されている。
【００２７】
サーバ装置２は、例えば、図１に示すように、個人情報データベース２１と、申請書イメージデータベース２２と、などを有している。
【００２８】
個人情報データベース２１は、例えば、申請者のＩＤ番号と、当該申請者の個人情報（例えば、住所、氏名、電話番号、国籍・本籍、生年月日等）と、などを対応付けて記憶する。
具体的には、個人情報データベース２１には、例えば、予めＩＤ番号や個人情報などが記憶されている。
【００２９】
申請書イメージデータベース２２は、例えば、補完後文字情報記憶手段として、申請者から提出された申請書Ｑの紙面全体のイメージと、当該申請者のＩＤ番号（補完後ＩＤ番号）と、などを対応付けて記憶する。
具体的には、申請書イメージデータベース２２には、例えば、読取部１１により読み取られた申請書Ｑの紙面全体のイメージと、生成プログラム１４４４を実行したＣＰＵ１４１（後述）により生成された補完後文字情報としての補完後ＩＤ番号と、などが対応付けられて記憶される。
【００３０】
申請者から提出された申請書Ｑには、例えば、図２に示すように、申請者の証明写真Ｐが貼付されており、申請者の個人情報の一部（例えば、住所、氏名、電話番号等）や申請者のＩＤ番号などが印字されている。
【００３１】
読取部１１は、例えば、読取手段として、制御部１４から入力される制御信号に従って、申請書Ｑの紙面から、申請書Ｑの紙面全体のイメージを読み取る。
具体的には、読取部１１は、例えば、申請書Ｑの紙面から、申請書Ｑの紙面上に印字された文字部分のうちの、例えば、ＩＤ番号部分Ｍの画像と、申請書Ｑの紙面上に貼付された証明写真部分Ｎの画像と、を第１解像度で読み取るとともに、申請書Ｑの紙面上におけるＩＤ番号部分Ｍ及び証明写真部分Ｎ以外の部分の画像を当該第１解像度よりも低い第２解像度で読み取ることによって、申請書Ｑの紙面全体のイメージを読み取る。
【００３２】
より具体的には、読取部１１は、例えば、給紙トレイ（図示省略）と、自動搬送装置１１１と、スキャナ１１２と、排出トレイ（図示省略）と、などから構成されている。
読取部１１では、例えば、まず、自動搬送装置１１１によって、給紙トレイに載置された申請書Ｑをスキャナ１１２に送り込み、次いで、スキャナ１１２によって、申請書Ｑの紙面全体のイメージを読み取り、次いで、自動搬送装置１１１によって、申請書Ｑを排出トレイに排出するようになっている。
ここで、スキャナ１１２は、例えば、フラットベットタイプのスキャナである。
なお、スキャナ１１２は、例えば、スキャナ１１２に替えて、撮像装置等でも適用可能である。
【００３３】
操作部１１２は、例えば、液晶表示部１２１と、タッチパネル１２２と、などから構成されている。
【００３４】
液晶表示部１２１は、例えば、バックライト（図示省略）の上面を覆うように設置されており、例えば、制御部１４から入力される制御信号に従って、所与の表示処理を行う。
具体的には、液晶表示部１２１は、例えば、表示手段として、表示制御プログラム１４４３を実行したＣＰＵ１４１（後述）が、認識プログラム１４４１を実行したＣＰＵ１４１（後述）により生成された認識文字情報としての認識ＩＤ番号等を表示する際に使用される。
【００３５】
タッチパネル１２２は、例えば、液晶表示部１２１の上面を覆うように設置されており、例えば、オペレータにより操作されて、当該操作に伴う押下信号を制御部１４に出力する。
具体的には、タッチパネル１２２は、例えば、入力手段として、オペレータが、表示制御プログラム１４４３を実行したＣＰＵ１４１（後述）により液晶表示部１２１に表示された認識ＩＤ番号に対して、認識プログラム１４４１を実行したＣＰＵ１４１（後述）により認識できなかった文字及び／又は認識プログラム１４４１を実行したＣＰＵ１４１（後述）により誤認識された文字の文字情報を入力する際に使用される。
【００３６】
作成部１３は、例えば、作成手段として、制御部１４から入力される制御信号に従って、生成プログラム１４４４を実行したＣＰＵ１４１（後述）により生成された補完後ＩＤ番号と、読取部１１により第１解像度で読み取られた証明写真部分Ｎの画像と、などを含むＩＤカード情報が、表面にプリント出力されたＩＤカードを作成する。
具体的には、作成部１３は、例えば、ＩＤカード情報を、ＩＤカードの表面にプリント出力するとともに、ＩＤカードに組み込まれた磁気テープやＩＣチップに記憶させることによって、ＩＤカードを作成する。
【００３７】
制御部１４は、例えば、ＣＰＵ（Central Processing Unit）１４１と、ＲＡＭ（Random Access Memory）１４２と、申請書イメージ記憶部１４３は、ＲＯＭ（Read Only Memory）１４４と、などを備えている。
【００３８】
ＣＰＵ１４１は、ＲＯＭ１４４に記憶されたＩＤカード作成装置１用の各種処理プログラムに従って各種の制御動作を行う。
【００３９】
ＲＡＭ１４２は、ＣＰＵ１４１によって実行される処理プログラムなどを展開するためのプログラム格納領域や、入力データや上記処理プログラムが実行される際に生じる処理結果などを格納するデータ格納領域などを備える。
【００４０】
申請書イメージ記憶部１４３は、例えば、ＥＰＲＯＭ（Erasable Programmable ROM）等の不揮発性メモリから構成され、例えば、補完前文字情報記憶手段として、申請者から提出された申請書Ｑの紙面全体のイメージと、当該申請者のＩＤ番号（認識ＩＤ番号）と、などを対応付けて記憶する。
具体的には、申請書イメージ記憶部１４３には、例えば、読取部１１により読み取られた申請書Ｑの紙面全体のイメージと、認識プログラム１４４１を実行したＣＰＵ１４１（後述）により生成された認識ＩＤ番号と、などが対応付けられて記憶される。
【００４１】
ＲＯＭ１４４は、ＩＤカード作成装置１で実行可能なシステムプログラム、当該システムプログラムで実行可能な各種処理プログラム、これら各種処理プログラムを実行する際に使用されるデータ、ＣＰＵ１４１によって演算処理された処理結果のデータなどを記憶する。なお、プログラムは、コンピュータが読み取り可能なプログラムコードの形でＲＯＭ１４４に記憶されている。
具体的には、ＲＯＭ１４１は、例えば、認識プログラム１４４１と、補完前文字情報記憶制御プログラム１４４２と、表示制御プログラム１４４３と、生成プログラム１４４４と、補完後文字情報記憶制御プログラム１４４５と、消去プログラム１４４６と、作成制御プログラム１４４７と、などを記憶している。
【００４２】
認識プログラム１４４１は、例えば、申請書Ｑの紙面上に印字されたＩＤ番号を構成する各文字を認識して認識ＩＤ番号を生成する機能を、ＣＰＵ１４１に実現させる。
具体的には、ＣＰＵ１４１は、例えば、読取部１１により第１解像度で読み取られたＩＤ番号部分Ｍの画像から、申請書Ｑの紙面上に印字されたＩＤ番号を構成する各文字を認識して認識ＩＤ番号を生成する。
【００４３】
より具体的には、例えば、所定の文字認識度（例えば、文字のパターンマッチング率）に対して、２つの閾値（所定の閾値（第１閾値）と、当該第１閾値より大きい所定の第２閾値）が設定されており、ＣＰＵ１４１は、各文字を認識して、当該各文字における文字認識度が、第１閾値より小さいか、第１閾値以上であり且つ第２閾値より小さいか、或いは、第２閾値以上であるか、を判定する。
【００４４】
そして、ＣＰＵ１４１は、例えば、文字認識度が第１閾値より小さい文字を、“認識できなかった文字”と判断して、例えば、当該文字を「＊（アスタリスク）」とする文字情報を生成する。
また、ＣＰＵ１４１は、例えば、文字認識度が第１閾値以上であり且つ第２閾値より小さい文字を、“誤認識のおそれがある文字”と判断して、例えば、当該文字とするとともに当該文字が“誤認識のおそれがある文字”として識別可能な文字情報を生成する。
また、ＣＰＵ１４１は、例えば、文字認識度が第２閾値以上である文字を、“認識できた文字”と判断して、例えば、当該文字とする文字情報を生成する。
【００４５】
そして、ＣＰＵ１４１は、当該生成された各文字情報を合成して、認識ＩＤ番号を生成する。
ＣＰＵ１４１は、かかる認識プログラム１４４１を実行することによって、認識手段として機能する。
【００４６】
補完前文字情報記憶制御プログラム１４４２は、例えば、読取部１１により読み取られた申請書Ｑの紙面全体のイメージと、認識プログラム１４４１を実行したＣＰＵ１４１により生成された認識ＩＤ番号と、を対応付けて、申請書イメージ記憶部１４３に記憶させる機能を、ＣＰＵ１４１に実現させる。
【００４７】
表示制御プログラム１４４２は、例えば、認識プログラム１４４１を実行したＣＰＵ１４１により生成された認識ＩＤ番号と、読取部１１により読み取られた申請書Ｑの紙面全体のイメージと、読取部１１により読み取られた申請書Ｑの紙面全体のイメージに含まれる申請書Ｑの紙面上に印字されたＩＤ番号部分Ｍの画像を拡大したものと、などを液晶表示部１２１に表示させる機能を、ＣＰＵ１４１に実現させる。
【００４８】
具体的には、ＣＰＵ１４１は、例えば、文字認識度が第１閾値以上の文字と、文字認識度が第１閾値より小さい文字と、が識別可能となるとともに、文字認識度が第１閾値以上の文字のうちの、文字認識度が第２閾値以上の文字と、文字認識度が第２閾値より小さい文字と、が識別可能となるように、認識プログラム１４４１を実行したＣＰＵ１４１により生成された認識ＩＤ番号を、液晶表示部１２１に表示させる。
すなわち、ＣＰＵ１４１は、例えば、文字認識度が第１閾値より小さいと判定された文字（“認識できなかった文字”と判断された文字）と、文字認識度が第１閾値以上であり且つ第２閾値より小さいと判定された文字（“誤認識のおそれがある文字”と判断された文字）と、文字認識度が第２閾値以上であると判定された文字（“認識できた文字”と判断された文字）と、が識別可能となるように、認識ＩＤ番号を液晶表示部１２１に表示させる。
【００４９】
具体的には、ＣＰＵ１４１は、例えば、図３に示すような画面、すなわち、認識ＩＤ番号Ｒ１と、申請書ＱのイメージＲ２と、ＩＤ番号部分Ｍの拡大画像Ｒ３と、テンキーＲ４と、「完了」キーＲ５と、などを含む画面を、液晶表示部１２１に表示させる。
ここで、認識ＩＤ番号Ｒ１（「１＊３４５６＊９」）を構成する文字のうち、例えば、「＊」は、文字認識度が第１閾値より小さいと判定された文字であり、例えば、網掛等の修飾が施された「４」及び「９」は、文字認識度が第１閾値以上であり且つ第２閾値より小さいと判定された文字であり、例えば、「１」、「３」、「５」及び「６」は、文字認識度が第２閾値以上であると判定された文字である。
【００５０】
そして、オペレータは、図３に示すテンキーＲ４（タッチパネル１２２）を操作して、液晶表示部１２１に表示された認識ＩＤ番号に対して、認識プログラム１４４１を実行したＣＰＵ１４１により認識できなかった文字及び／又は認識プログラム１４４１を実行したＣＰＵ１４１により誤認識された文字の文字情報を入力することができる。
具体的には、オペレータは、テンキーＲ４を操作して、例えば、認識ＩＤ番号Ｒ１を構成する文字のうちの、下線Ｒ１１が引かれた文字に関する文字情報を入力することができる。下線Ｒ１１は、例えば、テンキーＲ４の「←」キーＲ４１や「→」キーＲ４２の押下に伴い移動可能となっている。
より具体的には、オペレータは、例えば、まず、ＩＤ番号部分Ｍの拡大画像Ｒ３を参照しながらテンキーＲ４を操作して、図３に示す認識ＩＤ番号Ｒ１に対して、右側の「＊」に「２」の文字情報を入力し、左側の「＊」に「７」の文字情報を入力し、修飾が施された「９」に「８」の文字情報を入力する。次いで、オペレータは、例えば、「完了」キーＲ５を押下して、文字情報の入力が完了した旨を、制御部１４に入力する。
ＣＰＵ１４１は、かかる表示制御プログラム１４４３を実行することによって、表示制御手段として機能する。
【００５１】
生成プログラム１４４４は、例えば、認識プログラム１４４１を実行したＣＰＵ１４１により生成された認識ＩＤ番号をタッチパネル１２２により入力された文字情報で補完した補完後ＩＤ番号を生成する機能を、ＣＰＵ１４１に実現させる。
【００５２】
具体的には、例えば、図３に示す認識ＩＤ番号Ｒ１（「１＊３４５６＊９」）に対しては、オペレータによるタッチパネル１２２（テンキーＲ４）の操作によって、右側の「＊」には「２」の文字情報が入力され、左側の「＊」には「７」の文字情報が入力され、修飾が施された「９」には「８」の文字情報が入力されるため、ＣＰＵ１４１は、補完後ＩＤ番号として「１２３４５６７８」を生成する。
ＣＰＵ１４１は、かかる生成プログラム１４４４を実行することによって、生成手段として機能する。
【００５３】
補完後文字情報記憶制御プログラム１４４５は、例えば、読取部１１により読み取られた申請書Ｑの紙面全体のイメージと、生成プログラム１４４４を実行したＣＰＵ１４１により生成された補完後ＩＤ番号と、を対応付けて、サーバ装置２の申請書イメージデータベース２２に記憶させる機能を、ＣＰＵ１４１に実現させる。
【００５４】
消去プログラム１４４６は、例えば、生成プログラム１４４４を実行したＣＰＵ１４１により補完後ＩＤ番号が生成されると、申請書イメージ記憶部１４３に記憶された申請書の紙面全体のイメージや認識ＩＤ番号などを消去する機能を、ＣＰＵ１４１に実現させる。
ＣＰＵ１４１は、かかる消去プログラム１４４６を実行することによって、消去手段として機能する。
【００５５】
作成制御プログラム１４４７は、例えば、作成部１３に制御信号を入力して、生成プログラム１４４４を実行したＣＰＵ１４１により生成された補完後ＩＤ番号と、読取部１１により第１解像度で読み取られた証明写真部分Ｎの画像と、などを含むＩＤカード情報が、表面にプリント出力されたＩＤカードを作成させる機能を、ＣＰＵ１４１に実現させる。
【００５６】
具体的には、ＣＰＵ１４１は、まず、生成プログラム１４４４を実行したＣＰＵ１４１により生成された補完後ＩＤ番号（ＩＤ番号）に対応する個人情報を、サーバ装置２の個人情報データベース２１から取得し、次いで、作成部１３に制御信号を入力して、当該生成された補完後ＩＤ番号と、当該取得された個人情報と、読取部１１により読み取られた証明写真部分Ｎの画像と、などを含むＩＤカード情報を、ＩＤカードの表面にプリント出力させるとともに、ＩＤカードに組み込まれた磁気テープやＩＣチップに記憶させることによって、ＩＤカードを作成させる。
【００５７】
ここで、文字読取装置は、読取部１１と、認識プログラム１４４１を実行したＣＰＵ１４１と、表示制御プログラム１４４３を実行したＣＰＵ１４１と、タッチパネル１２２と、生成プログラム１４４４を実行したＣＰＵ１４１と、申請書イメージ記憶部１４３と、サーバ装置２の申請書イメージデータベース２２と、消去プログラム１４４６を実行したＣＰＵ１４１と、から構成される。
【００５８】
＜ＩＤカード作成方法＞
次に、ＩＤカード作成装置１を用いたＩＤカード作成方法について、図４のフローチャートを参照して説明する。
【００５９】
まず、ＣＰＵ１４１は、読取部１１に制御信号を入力して、自動搬送装置１１１に、給紙トレイに載置された申請書Ｑを搬送させ（ステップＳ１１）、スキャナ１１２に、申請書Ｑの紙面から、申請書Ｑの紙面上に印字されたＩＤ番号部分Ｍの画像と、申請書Ｑの紙面上に貼付された証明写真部分Ｎの画像と、を第１解像度で読み取らせるとともに、申請書Ｑの紙面上におけるＩＤ番号部分Ｍ及び証明写真部分Ｎ以外の部分の画像を当該第１解像度よりも低い第２解像度で読み取らせることによって、申請書Ｑの紙面全体のイメージを読み取らせる（ステップＳ１２）。
【００６０】
次いで、ＣＰＵ１４１は、認識プログラム１４４１を実行して、ステップＳ１２にて第１解像度で読み取られたＩＤ番号部分Ｍの画像から、申請書Ｑの紙面上に印字された各文字を認識して認識ＩＤ番号を生成する（ステップＳ１３）。
【００６１】
次いで、ＣＰＵ１４１は、補完前文字情報記憶制御プログラム１４４２を実行して、ステップＳ１２にて読み取られた申請書Ｑの紙面全体のイメージと、ステップＳ１３にて生成された認識ＩＤ番号と、を対応付けて、申請書イメージ記憶部１４３に記憶させる（ステップＳ１４）。
【００６２】
次いで、ＣＰＵ１４１は、表示制御プログラム１４４３を実行して、ステップＳ１３にて生成された認識ＩＤ番号と、ステップＳ１２にて読み取られた申請書Ｑの紙面全体のイメージと、ステップＳ１２にて読み取られたＩＤ番号部分Ｍの画像を拡大したものと、などを液晶表示部１２１に表示させる（ステップＳ１５）。
【００６３】
次いで、オペレータによるタッチパネル１２２（テンキーＲ４）の操作によって、ステップＳ１５にて液晶表示部１２１に表示された認識ＩＤ番号に対して、認識プログラム１４４１を実行したＣＰＵ１４１により認識できなかった文字及び／又は認識プログラム１４４１を実行したＣＰＵ１４１により誤認識された文字の文字情報が入力されて（ステップＳ１６）、オペレータによるタッチパネル１２２（「完了」キーＲ５）の操作によって、文字情報の入力が完了したと入力されたか否かを判断する（ステップＳ１７）。
【００６４】
ステップＳ１７にて、文字情報の入力が完了したと入力されていないと判断すると（ステップＳ１７；Ｎｏ）、ＣＰＵ１４１は、ステップＳ１６以降の処理を繰り返して行う。
【００６５】
一方、ステップＳ１７にて、文字情報の入力が完了したと入力されたと判断すると（ステップＳ１７；Ｙｅｓ）、ＣＰＵ１４１は、生成プログラム１４４４を実行して、ステップＳ１３にて生成された認識ＩＤ番号をステップＳ１６にて入力された文字情報で補完した補完後ＩＤ番号を生成する（ステップＳ１８）。
【００６６】
次いで、ＣＰＵ１４１は、補完後文字情報記憶制御プログラム１４４５を実行して、ステップＳ１２にて読み取られた申請書Ｑの紙面全体のイメージと、ステップＳ１８にて生成された補完後ＩＤ番号と、を対応付けて、サーバ装置２の申請書イメージデータベース２２に記憶させる（ステップＳ１９）。
【００６７】
次いで、ＣＰＵ１４１は、消去プログラム１４４６を実行して、ステップＳ１４にて申請書イメージ記憶部１４３に記憶された申請書Ｑの紙面全体のイメージと認識ＩＤ番号とを消去する（ステップＳ２０）。
【００６８】
次いで、ＣＰＵ１４１は、作成制御プログラム１４４７を実行して、作成部１３に制御信号を入力して、ステップＳ１８にて生成された補完後ＩＤ番号と、ステップＳ１２にて第１解像度で読み取られた証明写真部分Ｎの画像と、などを含むＩＤカード情報が、表面にプリント出力されたＩＤカードを作成させ（ステップＳ２１）、本処理を終了する。
【００６９】
以上説明した第１の実施の形態におけるＩＤカード作成装置１及びＩＤカード作成装置１を用いたによるＩＤカード作成方法によれば、読取部１１によって、申請書Ｑの紙面から、申請書Ｑの紙面全体のイメージを読み取ることができ、認識プログラム１４４１を実行したＣＰＵ１４１によって、申請書Ｑの紙面上に印字されたＩＤ番号を構成する各文字を認識して認識ＩＤ番号を生成することができ、表示制御プログラム１４４３を実行したＣＰＵ１４１によって、認識プログラム１４４１を実行したＣＰＵ１４１により生成された認識ＩＤ番号を、液晶表示部１２１に表示させることができ、オペレータによるタッチパネル１２２の操作によって、表示制御プログラム１４４３を実行したＣＰＵ１４１により液晶表示部１２１に表示された認識ＩＤ番号に対して、認識プログラム１４４１を実行したＣＰＵ１４１により認識できなかった文字及び／又は認識プログラム１４４１を実行したＣＰＵ１４１により誤認識された文字の文字情報を入力することができ、生成プログラム１４４４を実行したＣＰＵ１４１によって、認識プログラム１４４１を実行したＣＰＵ１４１により生成された認識ＩＤ番号をオペレータによるタッチパネル１２２の操作により入力された文字情報で補完した補完後ＩＤ番号を生成することができる。
したがって、ＩＤカード作成装置１による申請書Ｑからの文字の読み取りが正しく行われない場合であっても、オペレータは、手間をかけずに正確な文字を補完できる。
【００７０】
また、表示制御プログラム１４４３を実行したＣＰＵ１４１は、読取部１１により読み取られた申請書Ｑの紙面全体のイメージを、認識プログラム１４４１を実行したＣＰＵ１４１により生成された認識ＩＤ番号とともに、液晶表示部１２１に表示させることができる。
したがって、オペレータは、認識ＩＤ番号とともに、申請書Ｑの紙面全体のイメージも確認できるため、使い勝手がよい。
【００７１】
また、表示制御プログラム１４４３を実行したＣＰＵ１４１は、読取部１１により読み取られた申請書Ｑの紙面全体のイメージに含まれる申請書Ｑの紙面上に印字されたＩＤ番号部分Ｍの拡大画像を、認識プログラム１４４１を実行したＣＰＵ１４１により生成された認識ＩＤ番号とともに、液晶表示部１２１に表示させることができる。
したがって、オペレータは、ＩＤ番号部分Ｍの拡大画像を参照しながら、文字情報を入力できるため、使い勝手がよい。
【００７２】
また、表示制御プログラム１４４３を実行したＣＰＵ１４１は、文字認識度が第１閾値以上の文字と、文字認識度が第１閾値より小さい文字と、が識別可能となるように、認識プログラム１４４１を実行したＣＰＵ１４１により生成された認識ＩＤ番号を、液晶表示部１２１に表示させることができる。すなわち、具体的には、例えば、ＣＰＵ１４１は、文字認識度が第１閾値より小さい文字を「＊」に置き換えて表示することができる。
したがって、オペレータは、ＩＤカード作成装置１により読み取られた文字と読み取られなかった可能性が高い文字とを識別することができるため、文字情報の入力をスムーズに行うことができる。
【００７３】
また、表示制御プログラム１４４３を実行したＣＰＵ１４１は、文字認識度が第１閾値以上の文字のうちの、文字認識度が第２閾値以上の文字と、文字認識度が第２閾値より小さい文字と、が識別可能となるように、認識プログラム１４４１を実行したＣＰＵ１４１により生成された認識ＩＤ番号を、液晶表示部１２１に表示させることができる。すなわち、具体的には、例えば、ＣＰＵ１４１は、文字認識度が第１閾値以上であり且つ第２閾値より小さい文字に網掛等の修飾を施して表示することができる。
したがって、オペレータは、ＩＤカード作成装置１により読み取られた文字のうちの、正しく読み取られた確度が高い文字と確度が低い文字とを識別することができるため、文字情報の入力を確実に行うことができる。
【００７４】
また、申請書イメージ記憶部１４３によって、読取部１１により読み取られた申請書Ｑの紙面全体のイメージと、認識プログラム１４４１を実行したＣＰＵ１４１により生成された認識ＩＤ番号と、を対応付けて記憶することができ、サーバ装置２の申請書イメージデータベース２２によって、読取部１１により読み取られた申請書Ｑの紙面全体のイメージと、生成プログラム１４４４を実行したＣＰＵ１４１により生成された補完後ＩＤ番号と、を対応付けて記憶することができ、消去プログラム１４４６を実行したＣＰＵ１４１によって、生成プログラム１４４４を実行したＣＰＵ１４１により補完後ＩＤ番号が生成されると、申請書イメージ記憶部１４３に記憶された申請書Ｑの紙面全体のイメージと認識ＩＤ番号とを消去することができる。
したがって、必要な情報は残して、不必要な情報は消去することができるため、情報を管理するためのコストを抑えることができる。
【００７５】
また、読取部１１によって、申請書Ｑの紙面から、申請書Ｑの紙面上に印字されたＩＤ番号部分Ｍの画像と、申請書Ｑの紙面上に貼付された証明写真部分Ｎの画像と、を第１解像度で読み取るとともに、申請書Ｑの紙面上におけるＩＤ番号部分Ｍ及び証明写真部分Ｎ以外の部分の画像を当該第１解像度よりも低い第２解像度で読み取ることによって、申請書Ｑの紙面全体のイメージを読み取ることができ、認識プログラム１４４１を実行したＣＰＵ１４１によって、読取部１１により第１解像度で読み取られたＩＤ番号部分Ｍの画像から、申請書Ｑの紙面上に印字された各文字を認識して認識ＩＤ番号を生成することができ、作成部１３によって、生成プログラム１４４４を実行したＣＰＵ１４１により生成された補完後ＩＤ番号と、読取部１１により第１解像度で読み取られた証明写真部分Ｎの画像と、などを含むＩＤカード情報が、表面にプリント出力されたＩＤカードを作成することができる。
したがって、従来は、例えば、ＩＤカードの作成に必要なＩＤ番号部分Ｍや証明写真部分Ｎの画像を高解像度で読み取る装置と申請書Ｑの紙面全体のイメージを低解像度で読み取る装置の２つの装置が必要であったが、ＩＤカード作成装置１では、１台の装置（スキャナ１１２）でＩＤカードの作成に必要な部分の画像を高解像度で読み取りつつ申請書Ｑの紙面全体のイメージを読み取ることができるため、ＩＤカード作成装置１の製造コスト等を抑えることができる。
また、１回のスキャンで、ＩＤカードの作成に必要な部分の画像を高解像度で読み取るとともにＩＤカードの作成に不必要な部分の画像を低解像度で読み取ることができるため、読取時間が短縮できる。
【００７６】
[第２の実施の形態]
次に、第２の実施の形態におけるＩＤカード作成装置３及びＩＤカード作成装置３を用いたＩＤカード作成方法について説明する。
【００７７】
＜ＩＤカード作成装置＞
まず、ＩＤカード作成装置３の構成について、図５を参照して説明する。
なお、第２の実施の形態のＩＤカード作成装置３は、申請書Ｑからの画像の読み取り方が、第１の実施の形態のＩＤカード作成装置１（図１）と異なる。具体的には、ＩＤカード作成装置１における、読取部１１の構成の一部と、作成部１３の構成の一部と、制御部１４の構成の一部と、サーバ装置２の申請書イメージデータベース２２の構成の一部と、が異なる。したがって、異なる箇所のみについて説明し、その他の共通する部分は同一符号を付して説明する。
【００７８】
ＩＤカード作成装置３は、例えば、読取部３１と、操作部１２と、作成部３３と、制御部３４と、などを備えて構成される。
また、ＩＤカード作成装置３は、例えば、サーバ装置４と接続されている。
【００７９】
サーバ装置４は、例えば、図５に示すように、個人情報データベース２１と、申請書イメージデータベース４２と、などを有している。
【００８０】
申請書イメージデータベース４２は、例えば、補完後文字情報記憶手段として、申請者から提出された申請書Ｑの紙面全体のイメージと、当該申請者のＩＤ番号（補完後ＩＤ番号）と、などを対応付けて記憶する。
具体的には、申請書イメージデータベース４２には、例えば、読取部３１により第２解像度で読み取られた申請書Ｑの紙面全体のイメージと、生成プログラム１４４４を実行したＣＰＵ１４１により生成された補完後ＩＤ番号と、などが対応付けられて記憶される。
【００８１】
読取部３１は、例えば、読取手段として、制御部３４から入力される制御信号に従って、申請書Ｑの紙面から、申請書Ｑの紙面全体のイメージを読み取る。
具体的には、読取部３１は、例えば、申請書Ｑの紙面から、申請書Ｑの紙面上に印字されたＩＤ番号部分Ｍと申請書Ｑの紙面上に貼付された証明写真部分Ｎとを含む領域の画像を第１解像度で読み取って、その後、申請書Ｑの紙面全体のイメージを当該第１解像度よりも低い第２解像度で読み取る。
【００８２】
作成部３３は、例えば、作成手段として、制御部３４から入力される制御信号に従って、生成プログラム１４４４を実行したＣＰＵ１４１により生成された補完後ＩＤ番号と、読取部３１により第１解像度で読み取られたＩＤ番号部分Ｍと証明写真部分Ｎとを含む領域の画像に含まれる証明写真部分Ｎの画像と、などを含むＩＤカード情報が、表面にプリント出力されたＩＤカードを作成する。
具体的には、作成部３３は、例えば、ＩＤカード情報を、ＩＤカードの表面にプリント出力するとともに、ＩＤカードに組み込まれた磁気テープやＩＣチップに記憶させることによって、ＩＤカードを作成する。
【００８３】
制御部３４は、例えば、ＣＰＵ１４１と、ＲＡＭ１４２と、申請書イメージ記憶部３４３と、ＲＯＭ３４４と、などを備えている。
【００８４】
申請書イメージ記憶部３４３は、例えば、ＥＰＲＯＭ（Erasable Programmable ROM）等の不揮発性メモリから構成され、例えば、補完前文字情報記憶手段として、申請者から提出された申請書Ｑの紙面全体のイメージと、当該申請者のＩＤ番号（認識ＩＤ番号）と、などを対応付けて記憶する。
具体的には、申請書イメージ記憶部３４３には、例えば、読取部３１により第２解像度で読み取られた申請書Ｑの紙面全体のイメージと、認識プログラム３４４１を実行したＣＰＵ１４１（後述）により生成された認識ＩＤ番号と、などが対応付けられて記憶される。
【００８５】
ＲＯＭ３４４は、例えば、認識プログラム３４４１と、補完前文字情報記憶制御プログラム３４４２と、表示制御プログラム１４４３と、生成プログラム１４４４と、補完後文字情報記憶制御プログラム３４４５と、消去プログラム１４４６と、作成制御プログラム３４４７と、などを記憶している。
【００８６】
認識プログラム３４４１は、例えば、申請書Ｑの紙面上に印字されたＩＤ番号を構成する各文字を認識して認識ＩＤ番号を生成する機能を、ＣＰＵ１４１に実現させる。
具体的には、ＣＰＵ１４１は、例えば、読取部１１により第１解像度で読み取られたＩＤ番号部分Ｍと証明写真部分Ｎとを含む領域の画像に含まれるＩＤ番号部分Ｍの画像から、申請書Ｑの紙面上に印字されたＩＤ番号を構成する各文字を認識して認識ＩＤ番号を生成する。
ＣＰＵ１４１は、かかる認識プログラム３４４１を実行することによって、認識手段として機能する。
【００８７】
補完前文字情報記憶制御プログラム３４４２は、例えば、読取部３１により第２解像度で読み取られた申請書Ｑの紙面全体のイメージと、認識プログラム３４４１を実行したＣＰＵ１４１により生成された認識ＩＤ番号と、を対応付けて、申請書イメージ記憶部３４３に記憶させる機能を、ＣＰＵ１４１に実現させる。
【００８８】
補完後文字情報記憶制御プログラム３４４５は、例えば、読取部３１により第２解像度で読み取られた申請書Ｑの紙面全体のイメージと、生成プログラム１４４４を実行したＣＰＵ１４１により生成された補完後ＩＤ番号と、を対応付けて、サーバ装置４の申請書イメージデータベース４２に記憶させる機能を、ＣＰＵ１４１に実現させる。
【００８９】
作成制御プログラム３４４７は、例えば、作成部３３に制御信号を入力して、生成プログラム１４４４を実行したＣＰＵ１４１により生成された補完後ＩＤ番号と、読取部３１により第１解像度で読み取られたＩＤ番号部分Ｍと証明写真部分Ｎとを含む領域の画像に含まれる証明写真部分Ｎの画像と、などを含むＩＤカード情報が、表面にプリント出力されたＩＤカードを作成させる機能を、ＣＰＵ１４１に実現させる。
【００９０】
具体的には、ＣＰＵ１４１は、まず、生成プログラム１４４４を実行したＣＰＵ１４１により生成された補完後ＩＤ番号（ＩＤ番号）に対応する個人情報を、サーバ装置４の個人情報データベース２１から取得し、次いで、作成部３３に制御信号を入力して、当該生成された補完後ＩＤ番号と、当該取得された個人情報と、読取部３１により読み取られた証明写真部分Ｎの画像と、などを含むＩＤカード情報を、ＩＤカードの表面にプリント出力させるとともに、ＩＤカードに組み込まれた磁気テープやＩＣチップに記憶させることによって、ＩＤカードを作成させる。
【００９１】
ここで、文字読取装置は、読取部３１と、認識プログラム３４４１を実行したＣＰＵ１４１と、表示制御プログラム１４４３を実行したＣＰＵ１４１と、タッチパネル１２２と、生成プログラム１４４４を実行したＣＰＵ１４１と、申請書イメージ記憶部３４３と、サーバ装置４の申請書イメージデータベース４２と、消去プログラム１４４６を実行したＣＰＵ１４１と、から構成される。
【００９２】
＜ＩＤカード作成方法＞
次に、ＩＤカード作成装置３を用いたＩＤカード作成方法について、図６のフローチャートを参照して説明する。
【００９３】
まず、ＣＰＵ１４１は、読取部３１に制御信号を入力して、自動搬送装置１１１に、給紙トレイに載置された申請書Ｑを搬送させ（ステップＳ３１）、スキャナ１１２に、申請書Ｑの紙面から、申請書Ｑの紙面上に印字されたＩＤ番号部分Ｍと申請書Ｑの紙面上に貼付された証明写真部分Ｎとを含む領域の画像を第１解像度で読み取らせて（ステップＳ３２）、申請書Ｑの紙面全体のイメージを当該第１解像度よりも低い第２解像度で読み取らせる（ステップＳ３３）。
【００９４】
次いで、ＣＰＵ１４１は、認識プログラム３４４１を実行して、ステップＳ３２にて第１解像度で読み取られたＩＤ番号部分Ｍと証明写真部分Ｎとを含む領域の画像に含まれるＩＤ番号部分Ｍの画像から、申請書Ｑの紙面上に印字された各文字を認識して認識ＩＤ番号を生成する（ステップＳ３４）。
【００９５】
次いで、ＣＰＵ１４１は、補完前文字情報記憶制御プログラム３４４２を実行して、ステップＳ３３にて第２解像度で読み取られた申請書Ｑの紙面全体のイメージと、ステップＱ３４にて生成された認識ＩＤ番号と、を対応付けて、申請書イメージ記憶部３４３に記憶させる（ステップＳ３５）。
【００９６】
次いで、ＣＰＵ１４１は、表示制御プログラム１４４３を実行して、ステップＳ３４にて生成された認識ＩＤ番号と、ステップＳ３３にて第２解像度で読み取られた申請書Ｑの紙面全体のイメージと、ステップＳ３２にて第１解像度で読み取られたＩＤ番号部分Ｍと証明写真部分Ｎとを含む領域の画像に含まれるＩＤ番号部分Ｍの画像を拡大したものと、などを液晶表示部１２１に表示させる（ステップＳ３６）。
【００９７】
次いで、オペレータによるタッチパネル１２２（テンキーＲ４）の操作によって、ステップＳ３６にて液晶表示部１２１に表示された認識ＩＤ番号に対して、認識プログラム３４４１を実行したＣＰＵ１４１により認識できなかった文字及び／又は認識プログラム３４４１を実行したＣＰＵ１４１により誤認識された文字の文字情報が入力されて（ステップＳ３７）、オペレータによるタッチパネル１２２（「完了」キーＲ５）の操作によって、文字情報の入力が終了したと入力されたか否かを判断する（ステップＳ３８）。
【００９８】
ステップＳ３８にて、文字情報の入力が完了したと入力されていないと判断すると（ステップＳ３８；Ｎｏ）、ＣＰＵ１４１は、ステップＳ３７以降の処理を繰り返して行う。
【００９９】
一方、ステップＳ３８にて、文字情報の入力が完了したと入力されたと判断すると（ステップＳ３８；Ｙｅｓ）、ＣＰＵ１４１は、生成プログラム１４４４を実行して、ステップＳ３４にて生成された認識ＩＤ番号をステップＳ３７にて入力された文字情報で補完した補完後ＩＤ番号を生成する（ステップＳ３９）。
【０１００】
次いで、ＣＰＵ１４１は、補完後文字情報記憶制御プログラム３４４５を実行して、ステップＳ３３にて第２解像度で読み取られた申請書Ｑの紙面全体のイメージと、ステップＳ３９にて生成された補完後ＩＤ番号と、を対応付けて、サーバ装置４の申請書イメージデータベース４２に記憶させる（ステップＳ４０）。
【０１０１】
次いで、ＣＰＵ１４１は、消去プログラム１４４６を実行して、ステップＳ３５にて申請書イメージ記憶部３４３に記憶された申請書Ｑの紙面全体のイメージと認識ＩＤ番号とを消去する（ステップＳ４１）。
【０１０２】
次いで、ＣＰＵ１４１は、作成制御プログラム３４４７を実行して、作成部３３に制御信号を入力して、ステップＳ３９にて生成された補完後ＩＤ番号と、ステップＳ３２にて第１解像度で読み取られたＩＤ番号部分Ｍと証明写真部分Ｎとを含む領域の画像に含まれる証明写真部分Ｎの画像と、などを含むＩＤカード情報が、表面にプリント出力されたＩＤカードを作成させ（ステップＳ４２）、本処理を終了する。
【０１０３】
以上説明した第２の実施の形態におけるＩＤカード作成装置３及びＩＤカード作成装置１を用いたＩＤカード作成方法によれば、読取部３１によって、申請書Ｑの紙面から、申請書Ｑの紙面上に印字されたＩＤ番号部分Ｍと申請書Ｑの紙面上に貼付された証明写真部分Ｎとを含む領域の画像を第１解像度で読み取って、その後、申請書Ｑの紙面全体のイメージを当該第１解像度よりも低い第２解像度で読み取ることができ、認識プログラム３４４１を実行したＣＰＵ１４１によって、読取部３１により第１解像度で読み取られたＩＤ番号部分Ｍと証明写真部分Ｎとを含む領域の画像に含まれるＩＤ番号部分Ｍの画像から、申請書Ｑの紙面上に印字された各文字を認識して認識ＩＤ番号を生成することができ、申請書イメージ記憶部３４３によって、読取部３１により第２解像度で読み取られた申請書Ｑの紙面全体のイメージと、認識プログラム３４４１を実行したＣＰＵ１４１により生成された認識ＩＤ番号と、を対応付けて記憶することができ、サーバ装置４の申請書イメージデータベース４２によって、読取部３１により第２解像度で読み取られた申請書Ｑの紙面全体のイメージと、生成プログラム１４４４を実行したＣＰＵ１４１により生成された補完後ＩＤ番号と、を対応付けて記憶することができ、作成部３３によって、生成プログラム１４４４を実行したＣＰＵ１４１により生成された補完後ＩＤ番号と、読取部３１により第１解像度で読み取られたＩＤ番号部分Ｍと証明写真部分Ｎとを含む領域の画像に含まれる証明写真部分Ｎの画像と、などを含むＩＤカード情報が、表面にプリント出力されたＩＤカードを作成することができる。
したがって、従来は、例えば、ＩＤカードの作成に必要なＩＤ番号部分や証明写真部分の画像を高解像度で読み取る装置と申請書Ｑの紙面全体のイメージを低解像度で読み取る装置の２つの装置が必要であったが、ＩＤカード作成装置３では、１つの装置（スキャナ１１２）でＩＤカードの作成に必要な部分の画像を高解像度で読み取り、その後、申請書Ｑの紙面全体のイメージを低解像度で読み取ることができるため、ＩＤカード作成装置３の製造コスト等を抑えることができる。
また、高解像度で読み取る部分が、ＩＤ番号部分Ｍと証明写真部分Ｎとを含む領域だけなので、申請書Ｑの紙面全体を高解像度で読み取る場合よりも読み取り時間を短縮できる。
【０１０４】
なお、本発明は、上記した実施の形態のものに限るものではなく、その要旨を逸脱しない範囲で適宜変更可能である。
例えば、第１及び第２の実施の形態において、“認識できなかった文字”を「＊」で表示するとともに、“誤認識のおそれがある文字”を網掛等の修飾を施して表示することによって、“認識できた文字”と、“誤認識のおそれがある文字”と、“認識できなかった文字”と、が識別可能となるように表示したが、識別方法は、実施の形態の限りでなく任意である。具体的には、例えば、“認識できなかった文字”を「  （空欄）」で表示してもよいし、“誤認識のおそれがある文字”を着色したり或いは縁取ったりして表示するようにしてもよい。
【０１０５】
例えば、第１及び第２の実施の形態において、文字認識度に対する閾値として、２つの閾値（第１閾値と第２閾値）の閾値を設定したが、閾値の数は、任意である。
【０１０６】
例えば、第１及び第２の実施の形態において、ＩＤ番号部分の画像から、申請書Ｑの紙面上に印字されたＩＤ番号を構成する各文字を認識するようにしたが、認識するのはＩＤ番号の限りでなく、申請書Ｑの紙面上に印字された文字であれば、例えば、氏名等であってもよく、任意である。
【０１０７】
例えば、第１及び第２の実施の形態において、サーバ装置２，４が申請書イメージデータベース２２，４２を有していたが、例えば、ＩＤカード作成装置１，３が申請書イメージデータベース２２，４２を有していてもよい。
【０１０８】
例えば、第１及び第２の実施の形態において、認識ＩＤ番号が生成されると、必ず液晶表示部１２１に当該認識ＩＤ番号が表示されるようにしたが、例えば、申請書Ｑの紙面上に印字された各文字の全てが“認識できた文字”であった場合には、認識ＩＤ番号を液晶表示部１２１に表示しなくてもよい。そして、この場合、認識ＩＤ番号を補完後ＩＤ番号として扱う。
すなわち、少なくとも、申請書Ｑの紙面上に印字された各文字に、“認識できなかった文字”や“誤認識のおそれがある文字”が含まれる場合にのみ、認識ＩＤ番号を液晶表示部１２１に表示して、オペレータに補完用の文字情報を入力させるようにすればよい。
【０１０９】
例えば、第２の実施の形態において、申請書Ｑの紙面から、申請書Ｑの紙面上に印字されたＩＤ番号部分Ｍと申請書Ｑの紙面上に貼付された証明写真部分Ｎとを含む領域の画像を第１解像度で読み取って、その後、申請書Ｑの紙面全体のイメージを当該第１解像度よりも低い第２解像度で読み取るようにしたが、例えば、申請書Ｑの紙面全体のイメージを第２解像度で読み取って、その後、申請書Ｑの紙面上に印字されたＩＤ番号部分Ｍと申請書Ｑの紙面上に貼付された証明写真部分Ｎとを含む領域の画像を第１解像度で読み取るようにしてもよい。
【図面の簡単な説明】
【０１１０】
【図１】第１の実施の形態にかかるＩＤカード作成装置の機能的構成を示すブロック図である。
【図２】申請書を例示した図である。
【図３】液晶表示部に表示された認識ＩＤ番号を含む画面を例示した図である。
【図４】第１の実施の形態にかかるＩＤカード作成方法を説明するためのフローチャートである。
【図５】第２の実施の形態にかかるＩＤカード作成装置の機能的構成を示すブロック図である。
【図６】第２の実施の形態にかかるＩＤカード作成方法を説明するためのフローチャートである。
【符号の説明】
【０１１１】
１、３  ＩＤカード作成装置
１１、３１  読取部（読取手段、文字読取装置）
１３、３３  作成部（作成手段）
１２１  液晶表示部（表示手段）
１２２  タッチパネル（入力手段、文字読取装置）
１４１  ＣＰＵ（認識手段、表示制御手段、生成手段、消去手段、文字読取装置）
１４３、３４３  申請書イメージ記憶部（補完前文字情報記憶手段、文字読取装置）
１４４１、３４４１  認識プログラム（認識手段、文字読取装置）
１４４３  表示制御プログラム（表示制御手段、文字読取装置）
１４４４  生成プログラム（生成手段、文字読取装置）
１４４６  消去プログラム（消去手段）
２、４  サーバ装置
２２、４２  申請書イメージデータベース（補完後文字情報記憶手段、文字読取装置）
Ｍ  ＩＤ番号部分（文字部分）
Ｑ  申請書
【図１】
2007305045.tif 000003
【図２】
2007305045.tif 000004
【図３】
2007305045.tif 000005
【図４】
2007305045.tif 000006
【図５】
2007305045.tif 000007
【図６】
2007305045.tif 000008